(57)【特許請求の範囲】
【請求項１】
トラップ本体下部に、水溜め用のコップ状に形成された、キャップ本体を装着してなる排水トラップであって、
前記コップ形状に形成されたキャップ本体の中心に、前記トラップ本体に螺着自在のキャップ部を立設してなることを特徴とする排水トラップ。
【請求項２】
キャップ部の側面に排水用Ｕ字溝を割設してなり、トラップ本体から取外したとき、トラップ本体内に溜った排水を該Ｕ字溝を介して水溜め部に徐々に排出可能とした構成を特徴とする請求項１に記載の排水トラップ。
【請求項３】
排水トラップが、歯科診療装置用のものであることを特徴とする請求項１又は２のいずれかに記載の排水トラップ。
【発明の詳細な説明】
【０００１】
【産業上の利用分野】
本発明は排水トラップに関し、特に歯科診療装置に好適に採用される排水トラップに関する。
【０００２】
【従来の技術と発明が解決しようとする課題】
従来、排水トラップは医科歯科用診療装置等の排水管途中に臭気の逆流を防ぐ等の目的で配設されている。
図５に従来構造の排水トラップの縦断面図を、図６にその構成部品分解図を図示する。
歯科診療装置の排水トラップは、歯科治療の際の臭気の逆流を防ぎ、また排水中の汚物を除去するため、歯科診療装置の排水路に設置される。
従来構造の排水トラップは、その上部に管路入口１ａを縦設し、管路出口１ｂを横設し、その外周下部にキャップ１２の螺着用のおねじ部１ｃを形設した円筒状のトラップ本体１と、円筒状金網製で下端に把手３ａを突設したフィルター３と、中心孔を有する円形のパッキン４と、前記トラップ本体１にフィルター３及びパッキン４を収納して締付可能な、前記おねじ部１ｃに螺合するめねじ部１２ａを内設したキャップ１２とから一体に構成され、常時はトラップ本体１を排水路に固着している。排水は管路入口１ａからトラップ本体１内に流入して溜まり、フィルター３を通過して管路出口１ｂから排出される。パッキン４はキャップ１２からの漏れ止め用である。
トラップ本体１内に溜まった汚物を定期的に清掃するためキャップ１２を取り外す必要があるが、トラップ本体１内に溜まった排水が流出するため、排水受け用のバケツを用意しなければならず、またキャップ１２を取り外すとき汚れた排水が手に掛かって不衛生となる課題を有していた。
【０００３】
【課題を解決するための手段】
本発明は、前記課題の解決を目的とするものであって、そのトラップ本体に水溜め用のコップ状に形成されたキャップ本体を装着し、トラップ本体から流出する排水をキャップ本体の水溜め部に溜めるように構成することにより、清掃のときバケツを用いず、手を汚さずにキャップ本体をトラップ本体から取り外し、フィルター及びパッキンを取り出し可能とした排水トラップを提供しようとするものである。
すなわち、本発明は、トラップ本体下部に、水溜め用のコップ状に形成された、キャップ本体を装着してなる排水トラップであって、前記コップ状に形成されたキャップ本体の中心に、前記トラップ本体に螺着自在のキャップ部を立設してなることを特徴とする排水トラップである。
さらに、本発明の排水トラップは、キャップ部の側面に排水用Ｕ字溝を割設してなり、トラップ本体から取外したとき、トラップ本体内に溜った排水を該Ｕ字溝を介して水溜め部に徐々に排出可能とした構成のものが好ましい。
該キャップ本体のキャップ部の側面に排水用Ｕ字溝を割設することにより、トラップ本体から取外したとき、トラップ本体内に溜まった排水を該Ｕ字溝を介して水溜め部に徐々に排水することができて、溜まっていた排水をキャップ本体の外に飛び散らす恐れを解消できる。
上記本発明の排水トラップは、特に医科・歯科診療装置に好適に採用されるものである。
【０００４】
【実施例】
以下に、本発明の歯科診療装置における排水トラップの実施例を図面に基づき説明する。
図１は本発明の排水トラップの一実施例の縦断面図、図２は図１の排水トラップの構成部品分解図、図３は図１の排水トラップのトラップ本体取り外し途中状態の縦断面図、図４は排水トラップの他の実施例の縦断面図である。
図中、１はトラップ本体、２はキャップ本体、２ａはキャップ部、２ｄはＵ字溝、３はフィルター、４はパッキン、５は水溜め部、６は排水、７はキャップ本体である。
本発明の排水トラップではトラップ本体１、フィルター３及びパッキン４は従来構造のままであるが、該トラップ本体１に装着するキャップ本体２では、コップ状の円筒容器の中心にキャップ部２ａを立設してトラップ本体１に螺着可能とし、周囲のコップ状容器に水溜め部５を形成して、トラップ本体１から取り外したとき流出する排水が外にこぼれ出ないで該水溜め部５に溜まるようにしている。従って、水溜め部５の容量はトラップ本体１に溜まっている排水６を十分に受け入れられる容量を必要とする。なお、２ｂはトラップ本体１のおねじ部１ｃに螺合するキャップ部２ａのめねじ部である。
またキャップ部２ａに凹設された凹部２ｅは、フィルター３の把手３ａが当たらないように設けられたもので、もちろん、把手３ａが突出しない構造のフィルター３であれば不要である。
【０００５】
また、キャップ部２ａの側面には、排水用のＵ字溝２ｄがすり割り状に割設されており、トラップ本体１から取り外しするとき、図３に図示のごとく、トラップ本体１内に溜まった排水６を該Ｕ字溝２ｄを介して水溜め部５に徐々に排出できるようにしたから、Ｕ字溝２ｄが無い場合にトラップ本体１からキャップ部２ａが外れた瞬間、溜まっていた排水６を一挙に排出してキャップ本体２の外側に飛び散らす恐れを解消している。
また、キャップ部２ａのめねじ部２ｂの上部には真直ぐなガイド部２ｃが設けられており、キャップ本体２を取り付けるとき、おねじ部１ｃとめねじ部２ｂの案内となり、取り付け易く、傾いて装着されないためキャップ本体２を完全に螺入装着できる。
【０００６】
図４に示す排水トラップの他の実施例では、キャップ本体７を、そのキャップ部７ａがキャップ本体７の中心の支柱部７ｃの上に上設された構造として、前例のキャップ本体２と同様に排水の流出を防止して、トラップ本体１に装着可能としている。なお、７ｂはめねじ、７ｄは水溜め部である。
また、そのキャップ部７ａには、前例と同様に徐々に排水を排出するためのＵ字溝２ｄを設けてもよく、取り付け易くするためのガイド部２ｃを設けてもよい。
【０００７】
【発明の効果】
本発明の排水トラップは、キャップ本体を水溜め用のコップ状に形成してキャップ本体からの排水の流出を防止したから、清掃等の目的でキャップを取り外したときに従来のごとくバケツ等により溢水を受ける必要がなく、手を汚す心配もない。
よって随時、トラップ本体から本発明に係るキャップ本体を取り外して容易に清掃することができる。
【図面の簡単な説明】
【図１】本発明の排水トラップの一実施例の縦断面図である。
【図２】図１の排水トラップの構成部品分解図である。
【図３】図１の排水トラップのトラップ本体取り外し途中状態の縦断面図である。
【図４】排水トラップの他の実施例の縦断面図である。
【図５】従来構造の排水トラップの縦断面図である。
【図６】従来構造の排水トラップの構成部品分解図である。
【符号の説明】
１    トラップ本体
１ａ  管路入口
１ｂ  管路出口
１ｃ  おねじ部
２    キャップ本体
２ａ  キャップ部
２ｂ  めねじ部
２ｃ  ガイド部
２ｄ  Ｕ字溝
２ｅ  凹部
３    フィルター
３ａ  把手
４    パッキン
５    水溜め部
６    排水
７    キャップ本体
７ａ  キャップ部
７ｂ  めねじ部
７ｃ  支柱部
７ｄ  水溜め部
１２  キャップ（従来構造）
１２ａ  めねじ部
【図１】
0003572644.tif 000002
【図２】
0003572644.tif 000003
【図３】
0003572644.tif 000004
【図４】
0003572644.tif 000005
【図５】
0003572644.tif 000006
【図６】
0003572644.tif 000007